(57)【要約】      （修正有）【課題】購入者の紹介による商品販売ビジネスを支援する。【解決手段】購入者紹介ビジネス支援装置１００は、第一の商品を購入した商品購入者に関する購入者情報と、商品購入を紹介した側及び紹介された側の関係を示す紹介関係情報とともに記録装置に記録する購入者情報記録手段と、商品購入者が前記第一の商品とは異なる第二の商品を購入したときに、商品購入者の購入者情報に関連付けて第二の商品を購入したことを示す第二の商品の購入実績情報を記録する第二商品購入実績情報記録手段と、紹介購入者が第二の商品を購入したときに、第二の商品の購入実績情報を記録するとともに、記録装置に記録されている購入者情報に基づいて、紹介購入者を紹介した商品購入者が第二の商品を購入済みであると判定された場合に、該商品購入者の購入者情報に関連付けて、予め設定された報酬額を特定するための報酬情報を記録する報酬情報記録手段とを備える。【選択図】図１
2014153980.tif 000002
【特許請求の範囲】
【請求項１】
第一の商品を購入した商品購入者に関する購入者情報と、前記商品購入者からの紹介で前記第一の商品を購入した紹介購入者に関する購入者情報とを、紹介した側及び紹介された側の関係を示す紹介関係情報とともに記録装置に記録する購入者情報記録手段と、
前記商品購入者が前記第一の商品とは異なる第二の商品を購入したときに、前記商品購入者の前記購入者情報に関連付けて前記第二の商品を購入したことを示す第二の商品の購入実績情報を記録する第二商品購入実績情報記録手段と、
前記紹介購入者が前記第二の商品を購入したときに、前記紹介購入者の前記購入者情報に関連付けて前記第二の商品の購入実績情報を記録するとともに、前記記録装置に記録されている前記購入者情報に基づいて、前記紹介購入者を紹介した前記商品購入者が前記第二の商品を購入済みであるか否かを判定する第二商品購入状況判定手段と、
前記第二商品購入状況判定手段によって、前記紹介購入者を紹介した前記商品購入者が前記第二の商品を購入済みであると判定された場合に、該商品購入者の前記購入者情報に関連付けて、予め設定された報酬額を特定するための報酬情報を記録する報酬情報記録手段とを備えることを特徴とする購入者紹介ビジネス支援装置。
【請求項２】
請求項１に記載の購入者紹介ビジネス支援装置において、
前記商品購入者は、報酬額が増額される特別商品購入者を含み、
前記報酬情報記録手段は、前記商品購入者が前記特別商品購入者である場合には、該特別商品購入者の前記購入者情報に関連付けて、予め設定された増額割合により増額された報酬額を特定するための報酬情報を記録することを特徴とする購入者紹介ビジネス支援装置。
【請求項３】
請求項１または２に記載の購入者紹介ビジネス支援装置において、
前記紹介購入者が前記第二の商品を追加購入する場合には、追加購入時の前記第二の商品の価格を予め設定された値引き率に基づいて値引きする値引き手段をさらに備えることを特徴とする購入者紹介ビジネス支援装置。
【請求項４】
請求項３に記載の購入者紹介ビジネス支援装置において、
前記報酬情報記録手段は、前記紹介購入者が前記第二の商品を追加購入した場合には、該紹介購入者を紹介した前記商品購入者の前記購入者情報に関連付けて、あらかじめ設定された報酬額を特定するための前記報酬情報を記録することを特徴とする購入者紹介ビジネス支援装置。
【請求項５】
請求項３または４に記載の購入者紹介ビジネス支援装置において、
前記報酬額は、前記紹介購入者が前記第二の商品を新規購入したか追加購入したかに応じて、個別に決定されることを特徴とする購入者紹介ビジネス支援装置。
【請求項６】
請求項１〜５のいずれか一項に記載の購入者紹介ビジネス支援装置において、
前記紹介購入者は、前記商品購入者が直接紹介した紹介購入者と、前記紹介購入者を介して間接的に紹介された紹介購入者とを含むことを特徴とする購入者紹介ビジネス支援装置。
【請求項７】
請求項６に記載の購入者紹介ビジネス支援装置において、
前記紹介購入者を介して間接的に紹介された紹介購入者は、前記商品購入者からあらかじめ設定された所定人数の紹介者を介した人物までを含むことを特徴とする購入者紹介ビジネス支援装置。
【発明の詳細な説明】
【技術分野】
【０００１】
本発明は、購入者紹介ビジネス支援装置に関する。
【背景技術】
【０００２】
次のようなインセンティブ提供システムが知られている。このインセンティブ提供システムでは、会員が商品を購入したときに、その会員と該会員を紹介した紹介者会員とにインセンティブの還元を行う（例えば、特許文献１）。
【先行技術文献】
【特許文献】
【０００３】
【特許文献１】特開２００４−７０４８０号公報
【発明の概要】
【発明が解決しようとする課題】
【０００４】
しかしながら、従来のインセンティブ提供システムでは、会員が商品を購入したときにインセンティブの還元を行う構成となっており、会員または紹介者会員に他の商品の購入履歴があるか否かはインセンティブ還元の条件とはなっていなかった。このため、従来のインセンティブ提供システムでは、複数の商品を扱う企業が、会員がある商品を購入したときに、別の商品を購入済みであることを条件として紹介者会員に対してインセンティブを還元する方法に関しては何ら検討がされていなかった。
【課題を解決するための手段】
【０００５】
本発明による購入者紹介ビジネス支援装置は、第一の商品を購入した商品購入者に関する購入者情報と、商品購入者からの紹介で第一の商品を購入した紹介購入者に関する購入者情報とを、紹介した側及び紹介された側の関係を示す紹介関係情報とともに記録装置に記録する購入者情報記録手段と、商品購入者が第一の商品とは異なる第二の商品を購入したときに、商品購入者の購入者情報に関連付けて第二の商品を購入したことを示す第二の商品の購入実績情報を記録する第二商品購入実績情報記録手段と、紹介購入者が第二の商品を購入したときに、紹介購入者の購入者情報に関連付けて第二の商品の購入実績情報を記録するとともに、記録装置に記録されている購入者情報に基づいて、紹介購入者を紹介した商品購入者が第二の商品を購入済みであるか否かを判定する第二商品購入状況判定手段と、第二商品購入状況判定手段によって、紹介購入者を紹介した商品購入者が第二の商品を購入済みであると判定された場合に、該商品購入者の購入者情報に関連付けて、予め設定された報酬額を特定するための報酬情報を記録する報酬情報記録手段とを備えることを特徴とする。
本発明では、商品購入者は、報酬額が増額される特別商品購入者を含み、報酬情報記録手段は、商品購入者が特別商品購入者である場合には、該特別商品購入者の購入者情報に関連付けて、予め設定された増額割合により増額された報酬額を特定するための報酬情報を記録するようにしてもよい。
紹介購入者が第二の商品を追加購入する場合には、追加購入時の第二の商品の価格を予め設定された値引き率に基づいて値引きする値引き手段をさらに備えるようにしてもよい。
報酬情報記録手段は、紹介購入者が第二の商品を追加購入した場合には、該紹介購入者を紹介した商品購入者の購入者情報に関連付けて、あらかじめ設定された報酬額を特定するための報酬情報を記録するようにしてもよい。
報酬額は、紹介購入者が第二の商品を新規購入したか追加購入したかに応じて、個別に決定されるようにしてもよい。
紹介購入者は、紹介購入者は、商品購入者が直接紹介した紹介購入者と、紹介購入者を介して間接的に紹介された紹介購入者とを含むようにしてもよい。
紹介購入者を介して間接的に紹介された紹介購入者は、商品購入者からあらかじめ設定された所定人数の紹介者を介した人物までを含むようにしてもよい。
【発明の効果】
【０００６】
本発明によれば、紹介購入者が第二の商品を購入したときに、該紹介購入者を紹介し、かつ第一の商品を購入した商品購入者が第二の商品を購入済みである場合に、該商品購入者に対して報酬を発生させることができるため、商品購入者が第一の商品と第二の商品を購入済みであることを、商品購入者への報酬の発生条件とすることができる。
【図面の簡単な説明】
【０００７】
【図１】購入者紹介ビジネス支援装置１００の一実施の形態の構成を示すブロック図である。
【図２】第一の実施の形態における処理の流れを示すフローチャート図である。
【図３】第二の実施の形態における処理の流れを示すフローチャート図である。
【発明を実施するための形態】
【０００８】
―第１の実施の形態―
図１は、第一の実施の形態における購入者紹介ビジネス支援装置１００の一実施の形態の構成を示すブロック図である。購入者紹介ビジネス支援装置１００としては、例えば、パーソナルコンピュータ（以下、「パソコン」と呼ぶ）、スマートフォン、携帯電話、タブレット端末といった種々の情報端末が用いられる。購入者紹介ビジネス支援装置１００は、操作部材１０１と、制御装置１０２と、記録装置１０３と、表示装置１０４とを備えている。
【０００９】
操作部材１０１は、購入者紹介ビジネス支援装置１００の操作者によって操作される種々の装置、例えばキーボードやマウスを含む。
【００１０】
制御装置１０２は、ＣＰＵ、メモリ、およびその他の周辺回路によって構成され、購入者紹介ビジネス支援装置１００の全体を制御する。なお、制御装置１０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。
【００１１】
記録装置１０３は、購入者紹介ビジネス支援装置１００が蓄える種々のデータや、制御装置１０２が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置１０３に記録されるプログラムのデータは、ＣＤ−ＲＯＭやＤＶＤ−ＲＯＭなどの記録媒体に記録されて提供されたり、ネットワークを介して提供され、使用者が取得したプログラムのデータを記録装置１０３にインストールすることによって、制御装置１０２がプログラムを実行できるようになる。
【００１２】
表示装置１０４は、例えば液晶モニタであって、制御装置１０２から出力される種々の表示用データが表示される。
【００１３】
本実施の形態における購入者紹介ビジネス支援装置１００は、複数の商品を扱う商品販売者が販売する商品のうち、商品販売者が指定した特定の商品について、その商品を購入した購入者がその商品を他の消費者に紹介することによって販売する購入者紹介ビジネスを支援するための処理を行う。以下、本実施の形態における購入者紹介ビジネス支援装置１００による処理について詳細に説明する。
【００１４】
商品販売者は、商品販売者が扱う商品のうち、特定の一の商品（以下「第一の商品」と呼ぶ）を購入した購入者を商品購入者として購入者紹介ビジネス支援装置１００に登録する。具体的には、制御装置１０２は、商品販売者からの指示に基づいて表示装置１０４に商品購入者に関する登録情報を入力するための入力画面を表示し、商品販売者は、操作部材１０１を操作して、該入力画面上で所定の登録情報を入力して新規登録作業を行う。ここで、登録情報としては、例えば、商品購入者の氏名、住所等を含む。商品販売者は、さらに、入力画面上で当該商品購入者による第一の商品の購入数量や購入日時等の第一の商品の購入実績情報を入力する。制御装置１０２は、操作部材１０１が操作されて登録情報と第一の商品の購入実績情報とが入力された場合には、該商品購入者を一意に特定するための情報、例えば購入者ＩＤを発行し、入力された登録情報および第一の商品の購入実績情報と、発行した購入者ＩＤとを関連付けた購入者情報を記録装置１０３へ記録する。
【００１５】
なお、商品購入者による過去の購入実績がある場合には、既にその商品購入者の購入者情報は記録装置１０３に記録されているため、記録済みの購入者情報に新たに第一の商品の購入実績情報を追加して、購入者情報を更新すればよい。この場合、例えば、商品販売者は、新たに第一の商品を購入した商品購入者の購入者ＩＤを指定して、該商品購入者の購入者情報を入力画面上に表示させ、入力画面上で新たな第一の商品の購入実績情報を追加入力すればよい。この場合、制御装置１０２は、入力画面上で入力された購入者ＩＤに基づいて記録装置１０３内の購入者情報を検索し、ヒットした検索結果を入力画面上に表示させる。制御装置１０２は、その後、商品販売者によって第一の商品の購入実績情報が追加入力された場合には、入力画面に表示中の購入者情報に追加入力された情報を追加して、記録装置１０３内の購入者情報を更新する。
【００１６】
また、商品販売者は、商品販売者が扱う商品のうち、上記第一の商品とは異なる第二の商品が購入された場合も、第二の商品を購入した購入者を商品購入者として購入者紹介ビジネス支援装置１００に登録する。この場合、第二の商品を購入した商品購入者の購入者情報が記録装置１０３に記録されていない場合、すなわち購入者情報が未登録である場合には、商品販売者は、上述した新規登録作業を行えばよい。
【００１７】
一方、第二の商品を購入した商品購入者の購入者情報が登録済みである場合には、商品販売者は、上述した第一の商品が購入された場合と同様に、新たに第二の商品を購入した商品購入者の購入者ＩＤを指定して、該商品購入者の購入者情報を入力画面上に表示させ、入力画面上で新たな第二の商品の購入実績情報を追加入力して、購入者情報を更新すればよい。
【００１８】
なお、本実施の形態では、商品販売者が扱う商品のうち、どの商品を第一の商品、及び第二の商品とするかは、商品販売者によってあらかじめ設定されているものとする。
【００１９】
商品購入者は、自身が購入した第一の商品や第二の商品を他者に紹介して購入を促すことができる。ここで、第一の商品や第二の商品を購入した者は全て商品購入者となるが、本実施の形態では、商品購入者のうち、紹介した側を商品購入者と呼び、紹介された側を紹介購入者と呼んで、両者を区別する。
【００２０】
商品販売者は、商品購入者に関する登録情報を入力する際に、その商品購入者が別の商品購入者からの紹介で第一の商品や第二の商品を購入した者、すなわち紹介購入者である場合には、その紹介購入者の登録情報に、該紹介購入者を紹介した商品購入者を特定するための情報、例えば、購入者ＩＤを紹介関係情報として含める。これにより、制御装置１０２は、商品購入者が他の商品購入者から紹介された紹介購入者である場合には、紹介した側及び紹介された側の関係を示す紹介関係情報を含めた購入者情報を記録装置１０３に記録することになる。
【００２１】
制御装置１０２は、記録装置１０３に記録された購入者情報に基づいて、特定の商品購入者と、該商品購入者が直接紹介した紹介購入者（以下「第一次紹介購入者」と呼ぶ）との関係を特定することができる。なお、本実施の形態では、紹介購入者は、商品購入者が直接紹介した紹介購入者と、紹介購入者を介して間接的に紹介された紹介購入者とを含み、紹介購入者を介して間接的に紹介された紹介購入者は、商品購入者からあらかじめ設定された所定人数の紹介者を介した人物までを含む。制御装置１０２は、記録装置１０３に記録された購入者情報に基づいて、第一次紹介購入者が紹介した第二次紹介購入者、第二次紹介購入者が紹介した第三次紹介購入者といったように、特定の商品購入者から見た間接的な紹介購入者も特定することができる。
【００２２】
例えば、商品購入者であるＡさんが紹介したＢさんが商品を購入した場合には、Ｂさんは、商品購入者であるとともに、Ａさんからみた第一次紹介購入者となる。また、Ｂさんが紹介したＣさんが商品を購入した場合には、Ｃさんは、商品購入者であるとともに、Ｂさんからみた第一次紹介購入者であり、Ａさんからみた第二次紹介購入者となる。
【００２３】
本実施の形態では、商品購入者は、自身が直接紹介した第一次紹介購入者、及び間接的に紹介した第二次紹介購入者や第三次紹介購入者が第一の商品を購入した場合に、商品購入者自身が第一の商品を購入済みであることを条件に、商品販売者から、紹介購入者が購入した第一の商品の金額に対する所定の報酬割合の金額を報酬として受け取ることができる。
【００２４】
なお、本実施の形態では、商品購入者は、第三次紹介購入者までの第一の商品の購入に対して報酬を受けることができる例について説明するが、商品購入者が、自身からみて第何次までの紹介購入者が第一の商品を購入した場合まで報酬を受けることができるかについては、あらかじめ商品販売者によって設定されているものとする。
【００２５】
商品購入者が受け取る報酬割合は、あらかじめ商品販売者によって設定されているものとする。この場合の報酬割合は、例えば、第一次紹介購入者が第一の商品を購入した場合には、第一の商品の購入代金に対する１０％、第二次紹介購入者が第一の商品を購入した場合には、第一の商品の購入代金に対する１５％、第三次紹介購入者が第一の商品を購入した場合には、第一の商品の購入代金に対する３０％のように、商品購入者からみた間接的な紹介レベルに応じて個別に設定される。
【００２６】
商品購入者は、さらに、第一次紹介購入者、第二次紹介購入者、または第三次紹介購入者が、上述した第二の商品を購入した場合には、自身が第一の商品及び第二の商品を購入済みであることを条件に、各紹介購入者が購入した第二の商品の金額に対する所定割合の金額を報酬として受け取ることができる。
【００２７】
この場合も、本実施の形態では、商品購入者は、第三次紹介購入者までの第二の商品の購入に対して報酬を受けることができる例について説明するが、商品購入者が、自身からみて第何次までの紹介購入者が第二の商品を購入した場合まで報酬を受けることができるかについては、あらかじめ商品販売者によって設定されているものとする。また、この設定内容は、第一の商品に対する設定内容と共通としてもよいし、第一の商品と第二の商品に対して個別に設定可能とし、それぞれ異なる設定を行えるようにしてもよい。
【００２８】
また、商品購入者が受け取る報酬割合も、あらかじめ商品販売者によって設定されているものとする。この場合の報酬割合は、例えば、第一次紹介購入者が第二の商品を購入した場合には、第二の商品の購入代金に対する５％、第二次紹介購入者が第二の商品を購入した場合には、第二の商品の購入代金に対する１０％、第三次紹介購入者が第二の商品を購入した場合には、第二の商品の購入代金に対する１０％のように、商品購入者からみた紹介レベルに応じて個別に設定される。
【００２９】
制御装置１０２は、商品購入者の購入者情報に、上述した第一の商品の購入実績情報を記録した場合には、その商品購入者の購入者情報に紹介者情報が含まれているかを判定し、含まれている場合には、紹介者情報に基づいて紹介者である商品購入者を特定する。さらに、制御装置１０２は、特定した紹介者の購入者情報に基づいて、その紹介者に第一の商品の購入実績があるか否かを判定する。その結果、紹介者に第一の商品の購入実績があると判定した場合には、その紹介者は、第一次紹介購入者が第一の商品を購入したことに基づく報酬の発生条件を満たしたと判定し、あらかじめ設定された報酬割合に応じた報酬額を算出して、報酬額を特定するための情報をその紹介者である商品購入者の購入者情報に関連付けて記録する。
【００３０】
制御装置１０２は、さらに、特定した紹介者の購入者情報に紹介者情報が含まれているかを判定し、含まれている場合には、紹介者情報に基づいて紹介者である商品購入者を特定する。さらに、制御装置１０２は、特定した紹介者の購入者情報に基づいて、その紹介者に第一の商品の購入実績があるか否かを判定する。その結果、紹介者に第一の商品の購入実績があると判定した場合には、その紹介者は、第二次紹介購入者が第一の商品を購入したことに基づく報酬の発生条件を満たしたと判定し、あらかじめ設定された報酬割合に応じた報酬額を算出して、報酬額を特定するための情報をその紹介者である商品購入者の購入者情報に関連付けて記録する。
【００３１】
制御装置１０２は、さらに、特定した紹介者の購入者情報に紹介者情報が含まれているかを判定し、含まれている場合には、紹介者情報に基づいて紹介者である商品購入者を特定する。さらに、制御装置１０２は、特定した紹介者の購入者情報に基づいて、その紹介者に第一の商品の購入実績があるか否かを判定する。その結果、紹介者に第一の商品の購入実績があると判定した場合には、その紹介者は、第三次紹介購入者が第一の商品を購入したことに基づく報酬の発生条件を満たしたと判定し、あらかじめ設定された報酬割合に応じた報酬額を算出して、報酬額を特定するための報酬情報をその紹介者である商品購入者の購入者情報に関連付けて記録する。
【００３２】
また、制御装置１０２は、商品購入者の購入者情報に、上述した第二の商品の購入実績情報を記録した場合にも、上述した第一の商品の購入実績情報が記録された場合と同様に、その紹介者を遡って特定していく。そして、特定した紹介者に第２の商品の購入実績があり、かつ第１の商品の購入実績もある場合に、その紹介者ごとにあらかじめ設定された報酬割合に基づく報酬額を算出し、各紹介者の購入者情報に、報酬額を特定するための報酬情報を関連付けて記録していく。
【００３３】
図２は、第１の実施の形態における処理の流れを示すフローチャートである。図２に示す処理は、操作部材１０１が操作されて、上述した入力画面上で商品購入者に関する登録情報が入力されると起動するプログラムとして、制御装置１０２によって実行される。
【００３４】
ステップＳ１０では、制御装置１０２は、上述したように、商品販売者によって入力画面上で入力された登録情報が既に記録装置１０３に記録されているか否か、すなわち商品購入者の登録情報が登録済みであるか否かを判断する。ステップＳ１０で否定判断した場合には、ステップＳ２０へ進む。
【００３５】
ステップＳ２０では、制御装置１０２は、商品購入者を一意に特定するための情報として購入者ＩＤを発行して、ステップＳ３０へ進む。
【００３６】
ステップＳ３０では、制御装置１０２は、入力された登録情報と、ステップＳ２０で発行した購入者ＩＤとを関連付けた購入者情報を記録装置１０３に記録する。その後、ステップＳ４０へ進む。
【００３７】
これに対して、ステップＳ１０で肯定判断した場合には、そのままステップＳ４０へ進む。ステップＳ４０では、制御装置１０２は、上述したように、商品販売者によって入力された第一の商品または第二の商品の購入実績情報を購入者情報に追加して記録する。その後、ステップＳ５０へ進む。
【００３８】
ステップＳ５０では、制御装置１０２は、商品購入者の購入者情報に紹介者情報が含まれているかを判定し、含まれている場合には、紹介者情報に基づいて紹介者である商品購入者の購入者ＩＤを特定する。制御装置１０２は、商品購入者を直接紹介した紹介者、さらにその紹介者を紹介した上位の紹介者といったように、あらかじめ設定されている上位レベルの紹介者までを遡って特定していく。本実施の形態では、上述したように第三次紹介購入者の購入までを対象として報酬を発生させるため、制御装置１０２は、商品購入者を直接紹介した直接紹介者、さらにその直接紹介者を紹介した上位の間接紹介者、さらにその間接紹介者を紹介した間接紹介者と、最大で上位３レベルまでの紹介者を特定する。その後、ステップＳ６０へ進む。
【００３９】
ステップＳ６０では、制御装置１０２は、ステップＳ５０で紹介者の購入者ＩＤを特定できたかを判定することにより、少なくとも一人の商品購入者を紹介した紹介者がいるか否かを判断する。ステップＳ６０で否定判断した場合には、処理を終了する。これに対して、ステップＳ６０で肯定判断した場合には、ステップＳ７０へ進む。
【００４０】
ステップＳ７０では、制御装置１０２は、ステップＳ６０で特定した購入者ＩＤの購入者情報に基づいて、ステップＳ６０で特定した購入者ＩＤの商品購入者に、上述した報酬の発生条件とする商品の購入実績があるか否かを判断する。すなわち、制御装置１０２は、ステップＳ４０で購入実績情報を記録した商品が第一の商品である場合には、ステップＳ６０で特定した購入者ＩＤの商品購入者に第一の商品の購入実績があるか否かを判断する。また、制御装置１０２は、ステップＳ４０で購入実績情報を記録した商品が第二の商品である場合には、ステップＳ６０で特定した購入者ＩＤの商品購入者に第一の商品及び第二の商品の購入実績があるか否かを判断する。ステップＳ７０で否定判断した場合には、処理を終了する。これに対して、ステップＳ７０で肯定判断した場合には、ステップＳ８０へ進む。
【００４１】
ステップＳ８０では、制御装置１０２は、上述したようにあらかじめ設定されている報酬割合と、ステップＳ４０で購入実績情報を記録した商品の購入代金とに基づいて、各紹介者へ支払う報酬額を算出する。その後、ステップＳ９０へ進む。
【００４２】
ステップＳ９０では、制御装置１０２は、ステップＳ８０で算出した報酬額を特定するための報酬情報を各紹介者の購入者情報に関連付けて記録する。その後、処理を終了する。
【００４３】
以上説明した第１の実施の形態によれば、以下のような作用効果を得ることができる。
（１）制御装置１０２は、第一の商品を購入した商品購入者に関する購入者情報と、商品購入者からの紹介で第一の商品を購入した紹介購入者に関する購入者情報とを、紹介した側及び紹介された側の関係を示す紹介関係情報とともに記録装置１０３に記録する。また、制御装置１０２は、商品購入者が第一の商品とは異なる第二の商品を購入したときに、商品購入者の購入者情報に関連付けて第二の商品の購入実績情報を記録する。そして、制御装置１０２は、紹介購入者が第二の商品を購入したときに、紹介購入者の購入者情報に関連付けて第二の商品の購入実績情報を記録するとともに、記録装置１０３に記録されている購入者情報に基づいて、紹介購入者を紹介した第一の商品を購入済みの商品購入者が第二の商品を購入済みであるか否かを判定し、購入済みであると判定した場合に、該商品購入者の購入者情報に関連付けて、予め設定された報酬額を特定するための報酬情報を記録するようにした。これによって、紹介購入者が第二の商品を購入したときに、該紹介購入者を紹介し、かつ第一の商品及び第二の商品を購入済みである商品購入者に対して報酬を発生させることができるため、商品購入者が第一の商品と第二の商品を購入済みであることを、商品購入者への報酬の発生条件とすることができる。
【００４４】
（２）紹介購入者は、商品購入者が直接紹介した紹介購入者と、紹介購入者を介して間接的に紹介された紹介購入者とを含むようにした。これによって、商品購入者は、自身が直接紹介した紹介購入者だけでなく、直接紹介した紹介購入者を介して間接的に紹介された紹介購入者による商品の購入に対しても報酬を受けることができる。
【００４５】
（３）紹介購入者を介して間接的に紹介された紹介購入者は、商品購入者からあらかじめ設定された所定人数の紹介者を介した人物までを含むようにした。これによって、商品購入者に対して報酬を発生させる対象が無制限に拡大するのを防ぎ、商品販売者の報酬支払負担が重くなることを防ぐことができる。
―第２の実施の形態―
上述した第１の実施の形態では、第一紹介購入者、第二次紹介購入者、第三次紹介購入者のいずれかが第一の商品、または第二の商品を購入したときに、これらの紹介購入者を直接または間接的に紹介した商品購入者に対して、所定の報酬を発生させた。第２の実施の形態では、さらに紹介購入者が第一の商品、または第二の商品を新規に購入した場合と、追加購入した場合とで処理を切り替える方法について説明する。なお、第２の実施の形態において、図１については、第１の実施の形態と同様のため説明を省略し、ここでは第１の実施の形態との相違点を中心に説明する。
【００４６】
制御装置１０２は、紹介購入者が第一の商品を購入した場合には、該紹介購入者の第一の商品の購入実績情報を参照して、紹介購入者が第一の商品を新規に購入したか、追加購入したかを判定する。制御装置１０２は、その結果、新規に購入したと判定した場合には、第１の実施の形態と同様の処理を行い、追加購入したと判定した場合には、後述する第２の実施の形態における処理を行う。
【００４７】
同様に、制御装置１０２は、紹介購入者が第二の商品を購入した場合には、該紹介購入者の第二の商品の購入実績情報を参照して、紹介購入者が第二の商品を新規に購入したか、追加購入したかを判定する。制御装置１０２は、その結果、新規に購入したと判定した場合には、第１の実施の形態と同様の処理を行い、追加購入したと判定した場合には、後述する第２の実施の形態における処理を行う。以下、第２の実施の形態において、紹介購入者が第一の商品または第二の商品を追加購入した場合の処理について説明する。
【００４８】
本実施の形態では、商品販売者は、追加購入時に紹介者に対して発生させる報酬割合と、新規購入時に紹介者に対して発生させる報酬割合とを個別に設定できる。例えば、新規購入時に商品購入者に対して発生させる報酬割合は、第１の実施の形態で例示したように設定し、追加購入時に商品購入者に対して発生させる報酬割合は、第一次紹介購入者が第一または第二の商品を購入した場合、第二次紹介購入者が第一または第二の商品を購入した場合、第三次紹介購入者が第一または第二の商品を購入した場合の全てに対して一律５％に設定することができる。
【００４９】
また、本実施の形態では、商品販売者は、追加購入分に対しては、商品価格を所定額値引きするように設定することもできる。例えば、第一次紹介購入者が第一または第二の商品を購入した場合、第二次紹介購入者が第一または第二の商品を購入した場合、第三次紹介購入者が第一または第二の商品を購入した場合の全て場合において、購入した商品の代金を１０％割り引くように設定することができる。
【００５０】
例えば、ＡさんがＢさんを紹介し、ＢさんがＣさんを紹介し、ＣさんがＤさんを紹介した場合であって、Ｄさんが第二の商品を追加購入し、Ａさん、Ｂさん、Ｃさんの全員が報酬を受ける条件を満たす場合を想定する。この場合、本実施の形態では、Ａさん、Ｂさん、Ｃさんは、Ｄさんによる第二の商品の購入金額の５％を報酬として得ることができ、Ｄさんは第二の商品を１０％引きの値段で購入することができる。
【００５１】
図３は、第２の実施の形態における処理の流れを示すフローチャートである。図３に示す処理は、操作部材１０１が操作されて、上述した入力画面上で商品購入者に関する登録情報が入力されると起動するプログラムとして、制御装置１０２によって実行される。なお、図３では、図２に示した第１の実施の形態における処理と同様の処理については同じ符号を付与して説明を省略し、以下では相違点を中心に説明する。
【００５２】
ステップＳ１１０において、制御装置１０２は、ステップＳ４０で購入実績情報が記録された紹介購入者が、その購入商品を新規購入したか否かを判断する。ステップＳ１１０で肯定判断した場合には、ステップＳ１２０へ進む。
【００５３】
ステップＳ１２０では、制御装置１０２は、あらかじめ設定されている新規購入時の報酬割合を用いて、ステップＳ４０で購入実績情報が記録された紹介購入者を直接または間接的に紹介した紹介者の報酬額を算出する。その後、ステップＳ９０へ進む。
【００５４】
これに対して、ステップＳ１１０で否定判断した場合には、ステップＳ１３０へ進む。ステップＳ１３０では、制御装置１０２は、あらかじめ設定されている追加購入時の報酬割合を用いて、ステップＳ４０で購入実績情報が記録された紹介購入者を直接または間接的に紹介した紹介者の報酬額を算出する。その後、ステップＳ１４０へ進む。
【００５５】
ステップＳ１４０では、制御装置１０２は、ステップＳ４０で購入実績情報が記録された紹介購入者に対する商品の購入代金をあらかじめ設定された割引率で割り引きを行い、購入実績情報を更新する。その後、処理を終了する。
【００５６】
以上説明した第２の実施の形態によれば、第１の実施の形態における作用効果に加えて、以下のような作用効果を得ることができる。
（１）制御装置１０２は、紹介購入者が商品を追加購入した場合には、追加購入時の商品の価格を予め設定された値引き率に基づいて値引きするようにした。これによって、追加購入者に対して商品代金の値引きを行うことができる。
【００５７】
（２）制御装置１０２は、紹介購入者が商品を新規購入したか追加購入したかに応じて、その紹介購入者を直接または間接的に紹介した紹介者に対して発生させる報酬の報酬割合を切り替えるようにした。これによって、紹介購入者が商品を新規購入したか追加購入したかに応じて、個別に報酬割合を設定することができる。
【００５８】
―変形例―
なお、上述した実施の形態の購入者紹介ビジネス支援装置は、以下のように変形することもできる。
（１）上述した第１および第２の実施の形態では、商品を購入した紹介購入者を直接または間接的に紹介した紹介者に対して、あらかじめ設定された報酬割合により算出される報酬を発生させる例について説明した。そして、この報酬割合は、購入された商品が第一の商品であるか第二の商品であるか、及び商品購入者からみた紹介レベルに応じて設定される例について説明した。しかしながら、紹介者に対して発生させる報酬の額は、これ以外の要素も加味して決定してもよい。例えば、過去に紹介した人物の人数が所定以上の商品購入者や、商品販売者がアドバイザーと認定した商品購入者のように、商品の販売に貢献している商品購入者を特別商品購入者とし、該特別商品購入者に対しては、報酬割合を一定割合増加させるようにしてもよい。例えば、第一次紹介購入者が第一の商品を購入した場合には、第一の商品の購入代金に対する１０％が報酬割合として設定され、特別商品購入者に対してはさらに１０％の増加が設定されている場合には、特別商品購入者は、第一次紹介購入者が第一の商品を購入したときに２０％の報酬割合で報酬額が算出されるようにしてもよい。
【００５９】
（２）上述した第１の実施の形態では、商品購入者が受け取る報酬割合は、紹介レベルに応じて個別に設定される例について説明した。しかしながら、商品購入者が受け取る報酬割合は、紹介レベルにかかわらず一律１０％のように一定割合が設定されてもよい。また、第一の商品が購入された場合の報酬割合と、第二の商品が購入された場合の報酬割合とは、異なる割合としてもよいし、同じ割合としてもよい。
【００６０】
（３）上述した第２の実施の形態では、新規購入時に紹介者に対して発生させる報酬割合は、第１の実施の形態で例示したように設定し、追加購入時に紹介者に対して発生させる報酬割合は、第一次紹介購入者が第一または第二の商品を購入した場合、第二次紹介購入者が第一または第二の商品を購入した場合、第三次紹介購入者が第一または第二の商品を購入した場合の全てに対して一律５％に設定する例について説明した。しかしながら、新規購入時に商品購入者に対して発生させる報酬割合と追加購入時に紹介者に対して発生させる報酬割合とを同じに設定してもよい。
【００６１】
（４）上述した第２の実施の形態では、商品が追加購入されたときには、紹介購入者の紹介者に対する報酬の発生と、紹介購入者に対する値引きを行う例について説明した。しかしながら、商品が追加購入されたときには、紹介購入者の紹介者に対する報酬の発生のみとしてもよいし、紹介購入者に対する値引きのみとしてもよい。
【００６２】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００６３】
１００  購入者紹介ビジネス支援装置
１０１  操作部材
１０２  制御装置
１０３  記録装置
１０４  表示装置
【図１】
2014153980.tif 000003
【図２】
2014153980.tif 000004
【図３】
2014153980.tif 000005